(57)【要約】      （修正有）【課題】容易にタンスに組み立てたり直接積み重ねたりできる収納ボックスを提供する。【解決手段】容器２と前板３と上蓋４と台座５と２つの側板６と後板７からなり、容器には少なくとも１つの収容スペース２２と凹溝２３が設けられ、前板には少なくとも１つのＬ字突出部と、１つ以上のフックが設けられ、上蓋には１つ以上の係合溝と穿孔が設けられ、台座には台座本体５１と、１つ以上の凹溝５２〜５４と係合溝５５が設けられ、側板には１つ以上の凸リブ６２、６３と係合凸部６４が設けられ、後板には１つ以上の凸リブ７２、７３が設けられ、後板の凸リブ、側板の係合凸部、及び、凸リブを、台座の係合溝、凹溝、上蓋の係合溝、及び、穿孔と相互に係合させ、前板のＬ字突出部とフックを容器の凹溝と収容スペースの中にそれぞれ配置し、容器を台座の台座本体に配置することで収納ボックスが形成される。【選択図】図２
0003228385.tif 000002
【実用新案登録請求の範囲】
【請求項１】
容器と、前板と、上蓋と、台座と、２つの側板と、後板と、からなる収納ボックスであって
前記容器には、容器本体と、少なくとも１つの収容スペースと、少なくとも１つの凹溝と、少なくとも１つの凸リブと、１つ以上の支柱と、少なくとも１つのストッパーが設けられ、前記凹溝は、前記容器本体に設けられ、前記容器本体の前縁から下向きに前記凸リブが延在しており、前記凸リブと前記容器本体の間には、収容スペースが設けられ、前記支柱は、前記容器本体の下方に設けられ、前記ストッパーは、前記支柱の一端に設けられ、
前記前板には、前板本体と、少なくとも１つの凹溝と、少なくとも１つのＬ字突出部と、１つ以上のフックが設けられ、前記前板本体の上縁から下向きに前記Ｌ字突出部が延在しており、前記前板本体の下方から外向きに前記フックが延在しており、
前記上蓋には、上蓋本体と、凸部と、１つ以上の係合溝と、１つ以上のフックと、１つ以上の補強部品と、１つ以上の穿孔が設けられ、前記上蓋本体から上向きに前記凸部が延在しており、前記フックは、前記係合溝内に設けられ、前記補強部品は、前記上蓋本体の内縁の周りに設けられ、前記穿孔は、前記補強部品に設けられ、
前記台座には、台座本体と、１つ以上の凹溝と、１つ以上の係合溝と、１つ以上のフックと、１つ以上の補強部品と、１つ以上の穿孔が設けられ、前記凹溝及び前記係合溝は、前記台座本体に設けられ、前記フックは、前記係合溝内に設けられ、前記補強部品は、前記台座本体の内縁の周りに設けられ、前記穿孔は、前記補強部品に設けられ、
前記２つの側板には、側板本体と、１つ以上の凸リブと、１つ以上の係合凸部と、１つ以上の穿孔が設けられ、前記凸リブ及び前記係合凸部は、前記側板本体に設けられ、前記係合凸部及び前記側板本体には、前記穿孔が設けられ、
前記後板には、後板本体と、１つ以上の凸リブが設けられ、前記凸リブは、前記後板本体に設けられ、前記側板の下方の係合凸部及び凸リブを、前記台座の係合溝及び凹溝とそれぞれ相互に係合させることで、前記台座のフックと前記側板の穿孔は、互いに係合され、前記後板の下方の凸リブと前記台座の凹溝を、相互に係合させ、さらに、前記側板の上方の係合凸部及び凸リブを前記上蓋の係合溝及び穿孔とそれぞれ相互に係合させることで、前記上蓋のフックと前記側板の穿孔は、互いに係合され、前記後板の上方の凸リブと前記上蓋の穿孔を相互に係合させ、前記前板のＬ字突出部及びフックを前記容器の凹溝及び収容スペースの中にそれぞれ配置することで、前記前板のＬ字突出部は、前記容器の凹溝と互いに係合され、さらに、前記容器を前記台座の台座本体に配置することで、前記容器の支柱及びストッパーは、前記台座の凹溝の中に配置されることで、収納ボックスが形成されることを特徴とする、収納ボックス。
【請求項２】
前記上蓋の凸部の長さ及び幅は、前記上蓋本体の長さ及び幅よりそれぞれ小さいことを特徴とする、請求項１に記載の収納ボックス。
【請求項３】
前記前板のＬ字突出部の厚さは、前記容器の凹溝の厚さより厚くないことを特徴とする、請求項１に記載の収納ボックス。
【請求項４】
前記容器の凸リブと前記前板のフックは、互いに係合されることを特徴とする、請求項１に記載の収納ボックス。
【請求項５】
前記台座の凹溝には、前記側板及び前記後板の凸リブが収容されることを特徴とする、請求項１に記載の収納ボックス。
【請求項６】
前記上蓋の穿孔は、前記側板及び前記後板の凸リブと互いに係合されることを特徴とする、請求項１に記載の収納ボックス。
【請求項７】
前記台座の穿孔は、前記側板及び前記後板の凸リブと互いに係合されることを特徴とする、請求項１に記載の収納ボックス。
【請求項８】
前記台座の係合溝には、前記側板の係合凸部が収容されることを特徴とする、請求項１に記載の収納ボックス。
【請求項９】
前記台座本体の底部には、収容スペースがさらに設けられ、前記収容スペースには、前記上蓋の凸部が収容されることを特徴とする、請求項１に記載の収納ボックス。
【考案の詳細な説明】
【技術分野】
【０００１】
本考案は、収納ボックスに関し、特に、少なくとも２つの収納ボックスを積み重ねた際に、下方の収納ボックスの上蓋を外すことで、タンスのような収納ボックスにすることができるとともに、前板と容器を相互に係合させて収納用の箱にすることのできる収納ボックスに関する。
【背景技術】
【０００２】
台湾特許第Ｍ５５９８６６号「収納ボックスの構造」に示されている通り、従来の技術は、上蓋と、本体ユニットと、前蓋と、からなり、前記上蓋には、上蓋本体と、１つ以上の係合溝と、１つ以上の中空円柱と、少なくとも１つの凸リブが設けられ、前記本体ユニットには、本体部品と、収容スペースと、１つ以上の係合孔と、１つ以上の係合部品が設けられ、前記前蓋には、前蓋本体と、取っ手と、１つ以上の円柱が設けられ、前記上蓋の係合溝と前記本体ユニットの係合部品を相互に係合させ、前記前蓋の円柱を前記本体ユニットの係合孔と前記上蓋の中空円柱の間に配置することで、収納ボックスの構造が形成され、前記収納ボックスの構造は上下に積み重ねることができ、前記収容スペースには物を置くことができるが、前記収容スペースに置かれた物が多すぎる場合、取りたい物がちょうど一番内側に置かれている場合、前記前蓋の近くにある物を先に取り出してからでなければ、必要なものを取ることができないため、使用者にとって非常に不便であり、考案者は新たな方法を考え、簡単に組み合わせることができ、積み重ねやすいとともに取り出しやすい収納ボックスを考案した。
【先行技術文献】
【特許文献】
【０００３】
【特許文献１】台湾特許第Ｍ５５９８６６号明細書
【考案の概要】
【考案が解決しようとする課題】
【０００４】
本考案は、使用者の好みに合わせて容易にタンスに組み立てたり直接積み重ねたりすることのできる収納ボックスを提供することを目的とする。
【課題を解決するための手段】
【０００５】
本考案が提供する収納ボックスは、容器と、前板と、上蓋と、台座と、２つの側板と、後板と、からなり、前記容器には、容器本体と、少なくとも１つの収容スペースと、少なくとも１つの凹溝と、少なくとも１つの凸リブと、１つ以上の支柱と、少なくとも１つのストッパーが設けられ、前記前板には、前板本体と、少なくとも１つの凹溝と、少なくとも１つのＬ字突出部と、１つ以上のフックが設けられ、前記上蓋には、上蓋本体と、凸部と、１つ以上の係合溝と、１つ以上のフックと、１つ以上の補強部品と、１つ以上の穿孔が設けられ、前記台座には、台座本体と、１つ以上の凹溝と、１つ以上の係合溝と、１つ以上のフックと、１つ以上の補強部品と、１つ以上の穿孔が設けられ、前記側板には、側板本体と、１つ以上の凸リブと、１つ以上の係合凸部と、１つ以上の穿孔が設けられ、前記後板には、後板本体と、１つ以上の凸リブが設けられ、前記側板の下方の係合凸部及び凸リブを、前記台座の係合溝及び凹溝とそれぞれ相互に係合させることで、前記台座のフックと前記側板の穿孔は、互いに係合され、前記後板の下方の凸リブと前記台座の凹溝を相互に係合させ、さらに、前記側板の上方の係合凸部及び凸リブを、前記上蓋の係合溝及び穿孔とそれぞれ相互に係合させることで、前記上蓋のフックと前記側板の穿孔は、互いに係合され、前記後板の上方の凸リブと前記上蓋の穿孔を相互に係合させ、前記前板のＬ字突出部及びフックを前記容器の凹溝及び収容スペースの中にそれぞれ配置することで、前記前板のＬ字突出部は、前記容器の凹溝と互いに係合され、さらに、前記容器を前記台座の台座本体に配置することで、前記容器の支柱及びストッパーは、前記台座の凹溝の中に配置されることで、収納ボックスが形成される。
【０００６】
そのうち、前記上蓋の凸部の長さ及び幅は、前記上蓋本体の長さ及び幅よりそれぞれ小さい。
【０００７】
そのうち、前記前板のＬ字突出部の厚さは、前記容器の凹溝の厚さより厚くない。
【０００８】
そのうち、前記容器の凸リブと前記前板のフックは、互いに係合させることができる。
【０００９】
そのうち、前記台座の凹溝には、前記側板及び前記後板の凸リブを収容することができる。
【００１０】
そのうち、前記上蓋の穿孔を前記側板及び前記後板の凸リブと互いに係合させることができる。
【００１１】
そのうち、前記台座の穿孔を前記側板及び前記後板の凸リブと互いに係合させることができる。
【００１２】
そのうち、前記台座の係合溝には、前記側板の係合凸部を収容することができる。
【００１３】
そのうち、前記台座本体の底部には、収容スペースがさらに設けられ、前記収容スペースには、前記上蓋の凸部を収容することができる。
【図面の簡単な説明】
【００１４】
【図１】本考案の斜視図である。
【図２】本考案の斜視分解図である。
【図３】本考案を別の角度から見た斜視分解図である。
【図４】本考案の前板の斜視図である。
【図５】本考案の台座の斜視図である。
【図６】本考案の台座を別の角度から見た斜視図である。
【図７】本考案を２つ積み重ねた状態を示した斜視図である。
【図８】２つの積み重ねられた本考案における下層の上蓋を外した状態を示した斜視図である。
【考案を実施するための形態】
【００１５】
図１は、本考案の斜視図であり、図２は、本考案の斜視分解図であり、図３は、本考案を別の角度から見た斜視分解図であり、図４は、本考案の前板の斜視図であり、図５は、本考案の台座の斜視図であり、図６は、本考案の台座を別の角度から見た斜視図であり、図７は、本考案を２つ積み重ねた状態を示した斜視図であり、図８は、２つの積み重ねられた本考案における下層の上蓋を外した状態を示した斜視図である。
【００１６】
図１から図６に参照する通り、本考案の収納ボックス１は、容器２と、前板３と、上蓋４と、台座５と、２つの側板６と、後板７と、からなり、前記容器２には、容器本体２１と、少なくとも１つの収容スペース２２（２５）と、少なくとも１つの凹溝２３と、少なくとも１つの凸リブ２４と、１つ以上の支柱２６と、少なくとも１つのストッパー２７が設けられ、前記凹溝２３は、前記容器本体２１に設けられ、前記容器本体２１の前縁から下向きに前記凸リブ２４が延在しており、前記凸リブ２４と前記容器本体２１の間には、収容スペース２５が設けられ、前記支柱２６は、前記容器本体２１の下方に設けられ、前記ストッパー２７は、前記支柱２６の一端に設けられ、前記前板３には、前板本体３１と、少なくとも１つの凹溝３２（３３）と、少なくとも１つのＬ字突出部３４と、１つ以上のフック３５が設けられ、前記前板本体３１の上縁から下向きに前記Ｌ字突出部  ３４が延在しており、前記前板３のＬ字突出部３４の厚さは、前記容器２の凹溝２３の厚さより厚くなく、前記前板本体３１の下方から外向きに前記フック３５が延在しており、前記容器２の凸リブ２４は、前記前板３のフック３５と互いに係合させることができ、前記凹溝３２（３３）には、指を入れて前記前板３を移動させることができ、前記上蓋４には、上蓋本体４１と、凸部４２と、１つ以上の係合溝４７と、１つ以上のフック４８と、１つ以上の補強部品４３（４５）と、１つ以上の穿孔４４（４６）が設けられ、前記上蓋本体４１から上向きに前記凸部４２が延在しており、前記上蓋４の凸部４２の長さ及び幅は、前記上蓋本体４１の長さ及び幅よりそれぞれより小さく、前記係合溝４７は、前記上蓋本体４１内に設けられ、前記フック４８は、前記係合溝４７内に設けられ、前記補強部品４３（４５）は、前記上蓋本体４１の内縁の周りに設けられ、前記穿孔４４は、前記補強部品４３に設けられ、前記穿孔４６は、前記補強部品４５に設けられ、前記台座５には、台座本体５１と、１つ以上の凹溝５２（５３、５４）と、１つ以上の係合溝５５（５８）と、１つ以上のフック５６（５７）と、１つ以上の補強部品９１（９３）と、１つ以上の穿孔９２（９４）が設けられ、前記凹溝５２（５３、５４）及び前記係合溝５５（５８）は、前記台座本体５１に設けられ、前記フック５６は、前記係合溝５５内に設けられ、前記フック５７は、前記係合溝５８内に設けられ、前記補強部品９１（９３）は、前記台座本体５１内縁の周りに設けられ、前記台座本体５１の底部には、収容スペース９５がさらに設けられ、前記収容スペース９５には、前記上蓋４の凸部４２を収容することができ、前記穿孔９２は、前記補強部品９１に設けられ、前記穿孔９４は、前記補強部品９３に設けられ、前記側板６には、側板本体６１と、１つ以上の凸リブ６２（６３）と、１つ以上の係合凸部６４（６６）と、１つ以上の穿孔６５（６７、６８）が設けられ、前記凸リブ６２（６３）及び前記係合凸部６４（６６）は、前記側板本体６１に設けられ、前記係合凸部６４には、前記穿孔６５が設けられ、前記係合凸部６６には、前記穿孔６７が設けられ、前記側板本体６１には、前記穿孔６８が設けられ、前記後板７には、後板本体７１と、１つ以上の凸リ���７２（７３）が設けられ、前記凸リブ７２（７３）は、前記後板本体７１に設けられ、前記台座５の凹溝５２には、前記容器２の支柱２６及びストッパー２７を収容することができ、前記台座５の凹溝５４には、前記側板６の凸リブ６３を収容することができ、前記台座５の凹溝５３には、前記後板７の凸リブ７３を収容することができ、前記台座５の穿孔９２は、前記側板６の凸リブ６２と互いに係合させることができ、前記台座５の穿孔９４は、前記後板７の凸リブ７２と互いに係合させることができ、前記台座５の係合溝５５には、前記側板６の係合凸部６６を収容することができ、前記台座５の係合溝５８には、前記側板６の係合凸部６４を収容することができ、前記上蓋４の穿孔４６は、前記側板６の凸リブ６２と互いに係合させることができ、前記上蓋４の穿孔４４は、前記後板７の凸リブ７２と互いに係合させることができる。
【００１７】
前記側板６の下方の係合凸部６６及び凸リブ６３を、前記台座５の係合溝５５及び凹溝５４とそれぞれ互いに係合させることで、前記台座５のフック５６と前記側板６の穿孔６７は、互いに係合され、前記後板７の下方の凸リブ７３を前記台座５の凹溝５３と互いに係合させ、前記側板６の上方の係合凸部６４及び凸リブ６２を前記上蓋４の係合溝４７及び穿孔４６とそれぞれ相互に係合させることで、前記上蓋４のフック４８と前記側板６の穿孔６５は、互いに係合され、前記後板７の上方の凸リブ７２を前記上蓋４の穿孔４４と相互に係合させ、前記前板３のＬ字突出部３４及びフック３５を前記容器２の凹溝２３及び前記凸リブ２４と前記容器本体２１の間の収容スペース２５の中にそれぞれ配置することで、前記前板３のＬ字突出部３４は、前記容器２の凹溝２３と互いに係合され、さらに、前記容器２を前記台座５の台座本体５１に配置することで、前記容器２の支柱２６及びストッパー２７は、前記台座５の凹溝５２の中に配置され、収納ボックス１が形成される。
【００１８】
図７に参照する通り、本考案の実施例において、前記収納ボックス１を別の前記収納ボックス１の上に配置し、前記台座本体５１の底部の収容スペース９５に、前記上蓋４の凸部４２を収容できることで、２つの本考案の収納ボックス１を互いに積み重ねることができる。
【００１９】
図８に参照する通り、本考案の好ましい実施例において、前記収納ボックス１の上蓋４は、取り外されるとともに別の前記収納ボックス１の下に置かれ、別の前記収納ボックス１の台座５の穿孔９２は、前記収納ボックス１における上蓋４が取り外された側板６の凸リブ６２と互いに係合させることができ、別の前記収納ボックス１における台座５の穿孔９４は、前記収納ボックス１における上蓋４が取り外された後板７の凸リブ７２と互いに係合させることができ、別の前記収納ボックス１における台座５の係合溝５８には、前記収納ボックス１における上蓋４が取り外された側板６の係合凸部６４を収容することができ、別の前記収納ボックス１における台座５のフック５７は、前記収納ボックス１における上蓋４が取り外された側板６の穿孔６５と互いに係合させることができることで、タンスのような積み重ね式のボックスが形成される。
【符号の説明】
【００２０】
１  収納ボックス
２  容器
２１  容器本体
２２  収容スペース
２３  凹溝
２４  凸リブ
２５  収容スペース
２６  支柱
２７  ストッパー
３  前板
３１  前板本体
３２  凹溝
３３  凹溝
３４  Ｌ字突出部
３５  フック
４  上蓋
４１  上蓋本体
４２  凸部
４３  補強部品
４４  穿孔
４５  補強部品
４６  穿孔
４７  係合溝
４８  フック
５  台座
５１  台座本体
５２  凹溝
５３  凹溝
５４  凹溝
５５  係合溝
５６  フック
５７  フック
５８  係合溝
６  側板
６１  側板本体
６２  凸リブ
６３  凸リブ
６４  係合凸部  
６５  穿孔
６６  係合凸部  
６７  穿孔
６８  穿孔
７  後板
７１  後板本体
７２  凸リブ
７３  凸リブ
９１  補強部品
９２  穿孔
９３  補強部品
９４  穿孔
９５  収容スペース
【図１】
0003228385.tif 000003
【図２】
0003228385.tif 000004
【図３】
0003228385.tif 000005
【図４】
0003228385.tif 000006
【図５】
0003228385.tif 000007
【図６】
0003228385.tif 000008
【図７】
0003228385.tif 000009
【図８】
0003228385.tif 000010